(57)【要約】【課題】簡素な構造で、高速回転にも耐えるかご型誘導電動機を提供する。【解決手段】かご型誘導電動機１００は、回転軸周りに回転可能な回転子１１と、回転子１１の半径方向外側を囲む固定子１２と、を備える。回転子１１は、磁性材料を主材料とする回転子鉄心部２１と、回転子鉄心部２１の軸方向の両側に配置されて回転子鉄心部２１に固定された回転子シャフト部２０と、回転子鉄心部２１を軸方向に貫通して周方向に互いに間隔をあけて配置された複数の導体バー２２と、導体バー２２の軸方向端部同士を周方向に連結して導体バー２２の軸方向端部同士を電気的に短絡する短絡環２３と、を有する。回転子鉄心部２１の軸方向端部の外周に沿って軸方向に張り出した環状の張り出し部３１が形成され、短絡環２３の外側面は張り出し部３１の内側面で支持されている。【選択図】図１
2016123252.tif 000002
【特許請求の範囲】
【請求項１】
回転軸周りに回転可能な回転子と、前記回転子の半径方向外側を囲むように配置された固定子と、を備えたかご型誘導電動機であって、
前記回転子は、
前記回転軸を軸としてほぼ円柱状に形成された磁性材料を主材料とする回転子鉄心部と、
前記回転子鉄心部の軸方向の両側に前記回転子鉄心部の軸と同軸に配置されて、前記回転子鉄心部よりも細径であって、前記回転子鉄心部に固定された回転子シャフト部と、
前記回転子鉄心部を軸方向に貫通して周方向に互いに間隔をあけて配置された複数の導体バーと、
前記導体バーの軸方向端部同士を周方向に連結して前記導体バーの軸方向端部同士を電気的に短絡する短絡環と、
を有し、
前記回転子鉄心部の軸方向端部の外周に沿って軸方向に張り出した環状の張り出し部が形成され、
前記短絡環の外側面は前記張り出し部の内側面で支持されていること、
を特徴とするかご型誘導電動機。
【請求項２】
前記回転子鉄心部の軸方向端部に前記回転軸を中心として環状に延びる端部溝が形成されてこの端部溝の前記回転軸から遠い側が前記張り出し部を構成し、
前記短絡環が前記端部溝に埋め込まれて固定されていること、
を特徴とする請求項１に記載のかご型誘導電動機。
【請求項３】
前記回転子シャフト部と前記回転子鉄心部は一体構造であること、を特徴とする請求項１または請求項２に記載のかご型誘導電動機。
【請求項４】
前記端部溝の半径方向内側の縁が前記短絡環よりも内側にあり、前記端部溝の半径方向内側の縁と前記短絡環の内側の面との間に環状のくぼみ空間が形成されていること、
を特徴とする請求項３に記載のかご型誘導電動機。
【請求項５】
前記回転子鉄心部は、軸方向に垂直な平面内に広がる複数のほぼ円環状の鋼鉄製の平板を軸方向に積層したものであること、
を特徴とする請求項１または請求項２に記載のかご型誘導電動機。
【請求項６】
前記導体バーおよび前記短絡環は、銅、アルミニウムまたはそれらを主成分とする合金からなること、
を特徴とする請求項１ないし請求項５のいずれか一項に記載のかご型誘導電動機。
【請求項７】
固定子内で回転可能に支持されるかご型誘導電動機用回転子であって、
回転軸を軸としてほぼ円柱状に形成された磁性材料を主材料とする回転子鉄心部と、
前記回転子鉄心部の軸方向の両側に前記回転子鉄心部の軸と同軸に配置されて、前記回転子鉄心部よりも細径であって、前記回転子鉄心部に固定された回転子シャフト部と、
前記回転子鉄心部を軸方向に貫通して周方向に互いに間隔をあけて配置された複数の導体バーと、
前記導体バーの軸方向端部同士を周方向に連結して前記導体バーの軸方向端部同士を電気的に短絡する短絡環と、
を有し、
前記回転子鉄心部の軸方向端部の外周に沿って軸方向に張り出した環状の張り出し部が形成され、
前記短絡環の外側面は前記張り出し部の内側面で支持されていること、
を特徴とするかご型誘導電動機用回転子。
【発明の詳細な説明】
【技術分野】
【０００１】
本発明は、かご型誘導電動機およびその回転子に関する。
【背景技術】
【０００２】
従来の典型的なかご型誘導電動機は、回転軸周りに回転可能な回転子と、その回転子の半径方向外側を囲むように配置された固定子と、を備えている。
【０００３】
回転子は、ほぼ円柱状に形成された回転子鉄心部と、回転子シャフト部と、回転子鉄心部の外周近くを軸方向に貫通して周方向に互いに間隔をあけて配置された複数の導体バーと、導体バーの軸方向端部同士を周方向に連結して電気的に短絡する短絡環と、を有する。短絡環は、導電率の高い材料で構成する必要があり、通常は、銅やアルミニウムなどからなる。
【０００４】
導電率の高い材料は通常、強度が高くないので、鋼鉄などの高強度材料を用いた保持環を短絡環の外側に配置して、短絡環にかかる遠心力を保持環で受ける技術が知られている（特許文献１）。保持環は、特に、高速回転によって大きな遠心力がかかる電動機で重要である。
【先行技術文献】
【特許文献】
【０００５】
【特許文献１】特開平６−１９７５０４号公報
【発明の概要】
【発明が解決しようとする課題】
【０００６】
従来の短絡環および保持環は、鉄心の軸方向端部から離れた位置に配置されていて、導電バーが鉄心の軸方向端部から軸方向に突出して短絡環に接続されている。
【０００７】
上記従来の構成では、導電バーの端部の構造が複雑であり、製造コストもかさむ。
【０００８】
本発明は上記事情に鑑みてなされたものであって、簡素な構造で、高速回転にも耐えるかご型誘導電動機を提供することを目的とする。
【課題を解決するための手段】
【０００９】
上記課題を解決するために、本発明に係るかご型誘導電動機は、回転軸周りに回転可能な回転子と、前記回転子の半径方向外側を囲むように配置された固定子と、を備えたかご型誘導電動機であって、前記回転子は、前記回転軸を軸としてほぼ円柱状に形成された磁性材料を主材料とする回転子鉄心部と、前記回転子鉄心部の軸方向の両側に前記回転子鉄心部の軸と同軸に配置されて、前記回転子鉄心部よりも細径であって、前記回転子鉄心部に固定された回転子シャフト部と、前記回転子鉄心部を軸方向に貫通して周方向に互いに間隔をあけて配置された複数の導体バーと、前記導体バーの軸方向端部同士を周方向に連結して前記導体バーの軸方向端部同士を電気的に短絡する短絡環と、を有し、前記回転子鉄心部の軸方向端部の外周に沿って軸方向に張り出した環状の張り出し部が形成され、前記短絡環の外側面は前記張り出し部の内側面で支持されていること、を特徴とする。
【００１０】
また、本発明に係るかご型誘導電動機用回転子は、固定子内で回転可能に支持されるかご型誘導電動機用回転子であって、回転軸を軸としてほぼ円柱状に形成された磁性材料を主材料とする回転子鉄心部と、前記回転子鉄心部の軸方向の両側に前記回転子鉄心部の軸と同軸に配置されて、前記回転子鉄心部よりも細径であって、前記回転子鉄心部に固定された回転子シャフト部と、前記回転子鉄心部を軸方向に貫通して周方向に互いに間隔をあけて配置された複数の導体バーと、前記導体バーの軸方向端部同士を周方向に連結して前記導体バーの軸方向端部同士を電気的に短絡する短絡環と、を有し、前記回転子鉄心部の軸方向端部の外周に沿って軸方向に張り出した環状の張り出し部が形成され、前記短絡環の外側面は前記張り出し部の内側面で支持されていること、を特徴とする。
【発明の効果】
【００１１】
本発明によれば、簡素な構造で、高速回転にも耐えるかご型誘導電動機を提供することができる。
【図面の簡単な説明】
【００１２】
【図１】本発明に係るかご型誘導電動機の第１の実施形態の模式的縦断面図である。
【図２】本発明に係るかご型誘導電動機の第２の実施形態の模式的縦断面図である。
【図３】本発明に係るかご型誘導電動機の第３の実施形態の模式的縦断面図である。
【発明を実施するための形態】
【００１３】
以下、図面を参照して、本発明に係るかご型誘導電動機の実施形態について説明する。ここで、互いに共通または類似する部分については共通の符号を付して、重複説明は省略する。
【００１４】
［第１の実施形態］
図１は、本発明に係るかご型誘導電動機の第１の実施形態の模式的縦断面図である。第１の実施形態に係るかご型誘導電動機１００は、回転軸周りに回転可能な回転子１１と、回転子１１の半径方向外側を囲むように配置されたほぼ円筒状の固定子１２と、固定子１２の外側に配置されて固定子１２を支持するハウジング１３とを備えている。
【００１５】
固定子１２は、円筒状の固定子鉄心１４と固定子コイル１５とを備えている。固定子鉄心１４は、軸に垂直な平面内に広がるほぼ円環状の多数枚の鋼板を軸方向に積層したものであって、その内周に沿って、周方向に互いに間隔をあけて配置された複数の固定子溝（図示せず）が形成されている。固定子コイル１５は固定子鉄心１４の固定子溝内に配置されて軸方向に延びている。
【００１６】
回転子１１は、回転軸に沿って延びるほぼ円柱状の回転子鉄心部２１と、回転子鉄心部２１の軸方向両側に回転子鉄心部２１に同軸に配置されて回転子鉄心部２１と一体として形成されて回転子鉄心部２１よりも細径の円柱状の回転子シャフト部２０とを有する。複数の導体バー２２が回転子鉄心部２１の外周近くを軸方向に貫通して周方向に互いに間隔をあけて配置されている。また、短絡環（エンドリング）２３が、導体バー２２の軸方向端部同士を周方向に連結して電気的に短絡している。
【００１７】
回転子シャフト部２０は、ハウジング１３の両端部を貫通して延びていて、ハウジング１３に支持された軸受２４によって回転支持されている。
【００１８】
回転子シャフト部２０および回転子鉄心部２１は、磁性材料からなり、たとえば鋼鉄製である。導体バー２２および短絡環２３は、導電率の高い材料で構成する必要があり、たとえば、銅やアルミニウム、またはそれらを主成分とする合金からなる。
【００１９】
回転子鉄心部２１の軸方向両端部には、回転軸を中心とする円環状の端部溝３０が形成されていて、端部溝３０の半径方向外側には、回転子鉄心部２１の軸方向端部の外周に沿って軸方向に張り出した環状の張り出し部３１が形成されている。短絡環２３は、端部溝３０内に埋め込まれていて、短絡環２３の外側面が張り出し部３１の内側面に接している。
【００２０】
導体バー２２と短絡環２３とは、溶接などにより接合されている。
【００２１】
この実施形態で、短絡環２３は、回転子鉄心部２１に形成された端部溝３０内に埋め込まれているため、短絡環２３にかかる遠心力は、張り出し部３１の内側面で支持される。これにより、従来技術で必要とされた保持環を省略することができ、簡素な構成とすることができる。
【００２２】
［第２の実施形態］
図２は、本発明に係るかご型誘導電動機の第２の実施形態の模式的縦断面図である。第２の実施形態に係るかご型誘導電動機２００では、回転子鉄心部２１の軸方向端部に、第１の実施形態の端部溝３０よりも半径方向の幅が大きな幅広端部溝４２が形成されている。幅広端部溝４２の半径方向外側に、回転子鉄心部２１の軸方向端部の外周に沿って軸方向に張り出した環状の張り出し部３１が形成されている。短絡環２３は、幅広端部溝４２の内周に沿って埋め込まれていて、短絡環２３の外側面が幅広端部溝４２の内側面に接している。幅広端部溝４２の半径方向内側の縁と短絡環２３の内側の面との間に環状のくぼみ空間４３が形成されている。
【００２３】
その他の構成は第１の実施形態と同様である。
【００２４】
この実施形態では、第１の実施形態と同様に、短絡環２３にかかる遠心力は、張り出し部３１の内側面で支持される。これにより、従来技術で必要とされた保持環を省略することができ、簡素な構成とすることができる。
【００２５】
さらにこの実施形態では、短絡環２３の半径方向内側にくぼみ空間４３が形成され、その部分の回転子鉄心部２１がないことから、第１の実施形態に比べて軽量化を図ることができる。
【００２６】
［第３の実施形態］
図３は、本発明に係るかご型誘導電動機の第３の実施形態の模式的縦断面図である。第３の実施形態に係るかご型誘導電動機３００は第１の実施形態の変形であって、回転子シャフト部２０と回転子鉄心部５２が別々に形成されている。回転子シャフト部２０は１本の連続した円柱形であり、回転子鉄心部５２の中央には軸方向に貫通して延びる中心孔が形成され、回転子鉄心部５２の中心孔に回転子シャフト部２０が挿入されて、焼嵌めなどにより互いに固定されている。
【００２７】
この実施形態では、回転子鉄心部５２は、軸に垂直な平面内に広がるほぼ円環状の多数枚の鋼板を軸方向に積層したものである。各鋼板は絶縁被膜により電気的に絶縁されている。
【００２８】
この実施形態では、張り出し部３１を構成する鋼板の部分は、半径方向内側の鋼板の部分と切り離された状態になるので、回転子シャフト部２０に直接固定することができない。そのため、張り出し部３１を構成する鋼板の部分は、たとえば、軸方向に延びるボルト（図示せず）によって軸方向に締め付けることにより、回転子鉄心部５２の他の部分と一体化させればよい。
【００２９】
その他の構成は第１の実施形態と同様である。
【００３０】
この実施形態によれば、第１の実施形態と同様に、短絡環２３が、回転子鉄心部５２に形成された端部溝３０内に埋め込まれているため、短絡環２３にかかる遠心力は、張り出し部３１の内側面で支持される。これにより、従来技術で必要とされた保持環を省略することができ、簡素な構成とすることができる。
【００３１】
さらに、この実施形態によれば、鋼板を軸方向に積層した回転子鉄心部５２を用いることから、鉄心内の渦電流が抑制され、かご型誘導電動機としての効率向上を図ることができる。
【００３２】
［他の実施形態］
上記第３の実施形態は第１の実施形態の変形として説明したが、第３の実施形態の積層構造の回転子鉄心部５２に、第２の実施形態と同様の幅広端部溝４２を設けることも可能である。
【００３３】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３４】
１１    回転子
１２    固定子
１３    ハウジング
１４    固定子鉄心
１５    固定子コイル
２０    回転子シャフト部
２１    回転子鉄心部
２２    導体バー
２３    短絡環
２４    軸受
３０    端部溝
３１    張り出し部
４２    幅広端部溝
４３    くぼみ空間
５２    回転子鉄心部
１００，２００，３００    かご型誘導電動機
【図１】
2016123252.tif 000003
【図２】
2016123252.tif 000004
【図３】
2016123252.tif 000005